【手続補正書】
【提出日】平成25年6月4日(2013.6.4)
【手続補正１】
【補正対象書類名】特許請求の範囲
【補正対象項目名】全文
【補正方法】変更
【補正の内容】
【特許請求の範囲】
【請求項１】
歯科矯正用の小型ねじであって、当該小型ねじは、
ねじヘッドを有し、該ねじヘッドは、補助部材に連結されるように構成されており、
ねじ山付き本体を有し、該ねじ山付き本体は前記ねじヘッドに連結されており、かつ、該本体は第１部分を有し、該第１部分は患者の顎骨の皮質骨層内に位置するように構成されており、かつ、該ねじ山付き本体は第２部分を有し、該第２部分は、予め定められた距離だけ延びて前記皮質骨層を超えかつ隣接する海綿質骨層内へと入るように構成されており、チャンネルが、前記ねじ山付き本体を通りかつ前記第１部分に位置する少なくとも１つの空洞から出るように延びており、使用時に、該チャンネルが、硬化可能な生体適合性材料を前記海綿質骨層内に送り出して当該小型ねじによる固定源を助ける構成となっている、
前記歯科矯正用の小型ねじ。
【請求項２】
前記の少なくとも１つの空洞が、前記のねじ山付き本体の外周壁に配置されている、請求項１に記載の歯科矯正用の小型ねじ。
【請求項３】
前記の少なくとも１つの空洞が、前記のねじ山付き本体に配設されたねじ山同士の間に配置されている、請求項２に記載の歯科矯正用の小型ねじ。
【請求項４】
前記のねじ山付き本体の第２部分に沿って、横方向に変位した複数の空洞を含む、請求項３に記載の歯科矯正用の小型ねじ。
【請求項５】
前記のねじ山付き本体の遠位端部が、堅い切削先端部を備えている、請求項１〜４のいずれか一項に記載の歯科矯正用の小型ねじ。
【請求項６】
前記の少なくとも１つの空洞が、前記のねじ山付き本体の、骨と係合する端部に配置されている、請求項１に記載の歯科矯正用の小型ねじ。
【請求項７】
前記のチャンネルが、前記のねじ山付き本体の長さだけ延びており、前記の生体適合性材料を海綿質骨層内に注入するために、該生体適合性材料を収容した注射器の針が前記キャビティ内に挿入され得るようになっている、請求項１〜６のいずれか一項に記載の歯科矯正用の小型ねじ。
【請求項８】
前記のチャンネルが、保持性を持った内壁を有し、該内壁は、前記の生体適合性材料を硬化させた後に該材料をそこに保持できるものである、請求項１〜７のいずれか一項に記載の歯科矯正用の小型ねじ。
【請求項９】
歯科矯正用の小型ねじであって、当該小型ねじは、
ねじヘッドを有し、該ねじヘッドは、補助連結部材に連結されるように構成されており、かつ、
ねじ山付き本体を有し、該本体の長さは、当該小型ねじが入って位置すべき皮質骨の第１の層の厚さに実質的に一致するものである、
前記歯科矯正用の小型ねじ。
【請求項１０】
前記のねじ山付き本体が、固定源デバイスを受け入れるように構成されており、該固定源デバイスは、使用時に、前記皮質骨の壁に係合して当該小型ねじによる固定源を助けるものである、請求項９に記載の歯科矯正用の小型ねじ。
【請求項１１】
前記の固定源デバイスが、少なくとも１本の固定源ワイヤーを有しており、該固定源ワイヤーは、前記のねじの本体の遠位端部にある開口部を出て、かつ、内部の皮質骨の壁に係合する前に第２の非皮質骨層の中へと延びるように構成されている、請求項１０に記載の歯科矯正用の小型ねじ。
【請求項１２】
前記の開口部が、前記のねじ山付き本体の周囲の壁内に延びており、それによって、前記のワイヤー（単数または複数）が、直ちに、前記のねじ山付き本体から延びて出て前記第２の層内に入ることができるようになっている、請求項１１に記載の歯科矯正用の小型ねじ。
【請求項１３】
前記の少なくとも１本の固定源ワイヤーが、超弾性形状記憶材料によって形成されており、そのことによって、前記の遠位端部を通過して出た前記ワイヤーが、前記の海綿質骨内への最小限の進入にて、前記の内部の壁に係合するのに適した形状を形成できるようになっている、請求項１１に記載の歯科矯正用の小型ねじ。
【請求項１４】
前記の超弾性ワイヤーの弾性度が、該ワイヤーが、据え付け中に、最小限の進路変更で所望の形状をとることを可能にするように選択されている、請求項１３に記載の歯科矯正用の小型ねじ。
【請求項１５】
前記の形状が、概して放物線状の形状である、請求項１３に記載の歯科矯正用の小型ねじ。
【請求項１６】
前記の固定源デバイスが、少なくとも１つの突出部を有しており、該突出部は、使用時に、前記のねじ山付き本体の外周壁から延びて出て、それによって内部の皮質骨の壁に係合するようになっている、請求項１０に記載の歯科矯正用の小型ねじ。
【請求項１７】
前記のねじヘッドが、前記の固定源ワイヤー（単数または複数）の係合しない方の端部を保持するように構成されたキャビティを含んでいる、請求項１０〜１６のいずれか一項に記載の歯科矯正用の小型ねじ。
【請求項１８】
前記のキャビティのヘッド部分にねじ山が形成されており、かつ、各々の固定源ワイヤーの前記の係合しない方の端部が保持用ねじに連結されており、該保持用ねじは、ねじ回しされて前記のねじ山が形成されたキャビティに入りかつ出てくるように操作が可能となっており、それによって前記の固定源ワイヤーをそれぞれ係合および脱係合させるようになっている、請求項１７に記載の歯科矯正用の小型ねじ。
【請求項１９】
さらにカラーを有し、該カラーは、前記のねじ山付き本体とねじヘッドとの間に位置しており、前記のねじ山が形成されたヘッド部分が、該カラー内に少なくとも部分的に位置している、請求項１８に記載の歯科矯正用の小型ねじ。
【請求項２０】
前記のねじ山付き本体が、骨と係合する端部において開口するキャビティを含んでおり、該キャビティは、硬化可能な生体適合性材料を受け入れかつ前記の皮質骨の背後の海綿質骨層内に送り出して、当該小型ねじによる固定源を助ける構成となっている、請求項９に記載の歯科矯正用の小型ねじ。
【請求項２１】
前記のキャビティが、前記のねじ山付き本体の長さだけ延びており、前記の生体適合性材料を海綿質骨層内に注入するために、該生体適合性材料を収容した注射器の針が前記キャビティ内に挿入され得るようになっている、請求項２０に記載の歯科矯正用の小型ねじ。
【請求項２２】
前記のキャビティが、保持性を持った内壁を有し、該内壁は、前記の生体適合性材料を硬化させた後に該材料をそこに保持できるものである、請求項２０または２１に記載の歯科矯正用の小型ねじ。
【請求項２３】
前記のねじ山付き本体が、骨と係合する端部において開口するキャビティを含んでおり、該キャビティは、生体適合性流体が充填された変形可能な袋体を受け入れるように構成されており、使用時に、前記袋体の少なくとも一部が、前記の皮質骨層の背後の海綿質骨層内に延びて入り、それによって当該小型ねじによる固定源を助ける構成となっている、請求項９に記載の歯科矯正用の小型ねじ。
【請求項２４】
さらに、プランジャーを有し、該プランジャーが前記の袋体を前記の皮質骨層内に押して入れるように構成されている、請求項２３に記載の歯科矯正用の小型ねじ。
【請求項２５】
前記のプランジャーが、当該小型ねじの前記のヘッドに連結されている、請求項２４に記載の歯科矯正用の小型ねじ。
【請求項２６】
前記のプランジャーがヘッドを有し、該ヘッドは、当該小型ねじのねじ山形成されたヘッド部分によって受け入れられるものであり、かつ、前記のプランジャーがステムを有し、該ステムは、前記の袋体に連結されかつ前記のキャビティ内に延びるように構成されており、前記のヘッドの回転によって、前記の袋体が延びて前記の海綿質骨層内に入りまたはそこから出るようになっている、請求項２５に記載の歯科矯正用の小型ねじ。
【請求項２７】
ねじであって、当該ねじは、
ねじヘッドを有し、
固定源層にねじ込むための、ねじ山付き本体を有し、かつ、
固定源デバイスを有し、該固定源デバイスは、少なくとも一本の固定源ワイヤーを有し、該固定源ワイヤーは、使用時に、前記のねじ山付き本体にある開口部から延びて出て、前記固定源層の背後の空間内に入るように構成され、前記の固定源ワイヤーの少なくとも一部が、前記の固定源層の内部の壁に係合し、それによって当該ねじによる固定源を助けるようになっている、
前記ねじ。
【請求項２８】
ねじであって、当該ねじは、
ねじヘッドを有し、
固定源層にねじ込むための、ねじ山付き本体を有し、
前記のねじ山付き本体は、その全体を通って延びるキャビティを含んでおり、使用時に、硬化可能な物質を受け入れて前記固定源層の背後にある空間内に送り出し、それによって当該ねじによる固定源を助けるようになっている、
前記ねじ。
【請求項２９】
前記のキャビティが、前記のねじ山付き本体の長さだけ延びており、前記の硬化可能な物質を前記の空間内に注入するために、該物質を収容した注射器の針が前記キャビティ内に挿入され得るようになっている、請求項２８に記載のねじ。
【請求項３０】
前記のキャビティが、保持性を持った内壁を有し、該内壁は、前記の物質を硬化させた後に該物質をそこに保持できるものである、請求項２８または２９に記載のねじ。
【請求項３１】
ねじであって、当該ねじは、
ねじヘッドを有し、
固定源層にねじ込むための、ねじ山付き本体を有し、
前記のねじ山付き本体は、変形可能な袋体を受け入れるように構成されたキャビティを含んでおり、該袋体は流体で充填されるように構成されており、使用時に、前記袋体の少なくとも一部が、前記固定源層の背後の空間内に延びて入るように構成され、それによって当該ねじによる固定源を助けるようになっている、
前記ねじ。
【請求項３２】
さらに、プランジャーを有し、該プランジャーが前記の袋体を前記の空間内に押して入れるように構成されている、請求項３１に記載のねじ。
【請求項３３】
前記のプランジャーが、該小型ねじのヘッドに連結されている、請求項３２に記載のねじ。
【請求項３４】
前記のプランジャーがヘッドを有し、該ヘッドは、当該小型ねじのねじ山形成されたヘッド部分によって受け入れられるものであり、かつ、前記のプランジャーがステムを有し、該ステムは、前記の袋体に連結されかつ前記のキャビティ内に延びるように構成されており、前記のヘッドの回転によって、前記の袋体が延びて前記の空間内に入りまたはそこから出るようになっている、請求項３２に記載のねじ。
【請求項３５】
皮質骨の層内に配置されるように構成された小型ねじであって、当該小型ねじは、
補助連結部材に連結されるように構成されたねじヘッドを有し、かつ、
ねじ山付き本体を有し、該ねじ山付き本体は固定源デバイスを備え、該固定源デバイスは、使用時に、前記皮質骨の内部壁に係合して、当該小型ねじによる固定源を助けるようになっている、
前記小型ねじ。
【請求項３６】
前記の固定源デバイスが、少なくとも１本の固定源ワイヤーを有しており、該固定源ワイヤーは、前記のねじ山付き本体の遠位端部にある開口部から出て、かつ、前記の第１の層の内部壁に係合する前に、第２の非皮質骨層の中へと延びるように構成されている、請求項３５に記載の小型ねじ。
【請求項３７】
歯科補綴のインプラントであって、
歯科補綴の器具に連結されるように構成されたヘッドを有し、かつ、
固定源層内に入って位置するための本体を有し、該本体はチャンネルを含んでおり、該チャンネルは該本体の全体を少なくとも部分的に通過して延び、かつ、該本体の外周壁に位置する少なくとも１つの空洞から外に出ており、使用時に、前記チャンネルが、物質を前記固定源層に送り出すように構成されている、
前記歯科補綴のインプラント。
【請求項３８】
ねじ山が、前記の本体の外周壁に配置されている、請求項３７に記載のインプラント。